(57)【特許請求の範囲】
【請求項１】
第一主面と前記第一主面の裏側の主面である第二主面とを有する長尺状の基板と、
前記第一主面に配置された発光素子と、
少なくとも一部が前記第一主面に配置され、かつ、前記発光素子に電力を供給する電力供給線と、
前記電力供給線の少なくとも一部を覆い、かつ、前記発光素子から出射される光を拡散する透光性の拡散部材と、
前記基板、前記発光素子、前記電力供給線及び前記拡散部材が収納される透光性のカバーとを備え、
前記基板の長さ方向における前記拡散部材の端部のうち、前記カバーに近い側の端部に切り欠き部が設けられる
照明装置。
【請求項２】
第一主面と前記第一主面の裏側の主面である第二主面とを有する長尺状の基板と、
前記第一主面に配置された発光素子と、
少なくとも一部が前記第一主面に配置され、かつ、前記発光素子に電力を供給する電力供給線と、
前記電力供給線の少なくとも一部を覆い、かつ、前記発光素子から出射される光を拡散する透光性の拡散部材と、
前記基板、前記発光素子、前記電力供給線及び前記拡散部材が収納される透光性のカバーとを備え、
前記基板の長さ方向における前記拡散部材の位置の変動を規制する規制部材をさらに有し、
前記規制部材は、前記基板に設けられたねじである
照明装置。
【請求項３】
前記基板の長さ方向における前記拡散部材の位置の変動を規制する規制部材をさらに有する
請求項１に記載の照明装置。
【請求項４】
前記規制部材は、前記基板に設けられたねじである
請求項３に記載の照明装置。
【請求項５】
前記カバー内に収納され、前記基板を前記第二主面において支持する長尺状のシャーシをさらに備える
請求項１〜４のいずれか１項に記載の照明装置。
【請求項６】
前記シャーシは、長さ方向の端部に切り欠き部を有し、
前記電力供給線の一部は、当該切り欠き部に配置される
請求項５に記載の照明装置。
【請求項７】
前記基板は、長さ方向の端部に切り欠き部を有し、
前記電力供給線の一部は、当該切り欠き部に配置される
請求項１〜６のいずれか１項に記載の照明装置。
【請求項８】
前記電力供給線は、前記基板の長さ方向の端部に配置される
請求項１〜７のいずれか１項に記載の照明装置。
【発明の詳細な説明】
【技術分野】
【０００１】
本発明は、照明装置に関し、例えば、ＬＥＤ（Ｌｉｇｈｔ  Ｅｍｉｔｔｉｎｇ  Ｄｉｏｄｅ）素子等の発光素子を有する照明装置に関する。
【背景技術】
【０００２】
従来、複数のＬＥＤ素子などの発光素子を直線状に配列した照明装置が知られている（例えば、特許文献１など）。
【０００３】
特許文献１に開示された照明装置は、複数の発光素子が直線状に配列された基板と、基板を支持し、かつ、基板の放熱部材として機能するシャーシと、発光素子に電力を供給する電力供給線と、基板などが収納されるカバーとを備える。当該カバーは、発光素子から出射された光を拡散する透光性の部材である。
【０００４】
特許文献１に開示された照明装置では、電力供給線が、発光素子から出射された光を遮断することにより、カバーに電力供給線の影が映ることを抑制するために、電力供給線が、基板の裏面側（基板の発光素子が配置された主面の裏面側）に配置される。
【先行技術文献】
【特許文献】
【０００５】
【特許文献１】特開２０１２−６４３９０号公報
【発明の概要】
【発明が解決しようとする課題】
【０００６】
しかしながら、特許文献１に開示された照明装置では、電力供給線を裏面側に配置するために、複雑な形状の基板を用いる必要がある。すなわち、当該照明装置では、電力供給線を基板の裏面側へ取りまわすための切り欠き部が設けられる。さらに、当該照明装置では、基板の裏面側に配置された電力供給線が基板とシャーシとに挟まれることによって基板とシャーシとの間に隙間が生じることを抑制するために、電力供給線を配置するための凹部が基板の裏面側に設けられる。
【０００７】
本発明は、このような問題を解決するためになされたものであり、発光素子が設けられた基板の形状を複雑化することなく、当該基板が収納されるカバーに電力供給線の影が映ることを抑制できる照明装置を提供する。
【課題を解決するための手段】
【０００８】
上記課題を解決するために、本発明に係る照明装置の一態様は、第一主面と第一主面の裏側の主面である第二主面とを有する長尺状の基板と、第一主面に配置された発光素子と、少なくとも一部が第一主面に配置され、かつ、発光素子に電力を供給する電力供給線と、電力供給線の少なくとも一部を覆い、かつ、発光素子から出射される光を拡散する透光性の拡散部材と、基板、発光素子、電力供給線及び拡散部材が収納される透光性のカバーとを備える。
【発明の効果】
【０００９】
本発明によれば、発光素子が設けられた基板の形状を複雑化することなく、当該基板が収納されるカバーに電力供給線の影が映ることを抑制できる照明装置を提供することができる。
【図面の簡単な説明】
【００１０】
【図１】図１は、実施の形態に係る照明装置の外観を示す斜視図である。
【図２】図２は、実施の形態に係る照明装置の外観を示す側面図である。
【図３】図３は、実施の形態に係る照明装置のｚｘ平面における断面図である。
【図４】図４は、実施の形態に係る照明装置の断面図である。
【図５】図５は、実施の形態に係る発光モジュールの外観を示す斜視図である。
【図６】図６は、実施の形態に係るシャーシの外観を示す斜視図である。
【図７】図７は、実施の形態に係るシャーシに発光モジュールを固定した状態を示す斜視図である。
【図８】図８は、実施の形態に係る拡散部材の外観を示す斜視図である。
【図９】図９は、実施の形態に係るシャーシ及び発光モジュールに拡散部材を装着した状態を示す斜視図である。
【図１０】図１０は、実施の形態に係る拡散部材の作用を説明するための図である。
【図１１】図１１は、実施の形態に係る照明装置の断面図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．構成］
まず、実施の形態に係る照明装置の構成について、図面を用いて説明する。
【００１４】
図１は、本実施の形態に係る照明装置１の外観を示す斜視図である。
【００１５】
図２は、本実施の形態に係る照明装置１の外観を示す側面図である。
【００１６】
図３は、本実施の形態に係る照明装置１のｚｘ平面における断面図である。
【００１７】
図４は、本実施の形態に係る照明装置１の断面図である。図４は、図２に示されるＩＶ−ＩＶ線における照明装置１の断面を示す。
【００１８】
図１〜４に示されるように、照明装置１は、カバー１０、発光モジュール２０、拡散部材３０、電力供給線４０、シャーシ５０及び本体６０を備える。以下、照明装置１の各構成要素について説明する。
【００１９】
［１−１．発光モジュール］
発光モジュール２０は、照明装置１の光源であり、照明光として例えば白色光を放出する。一例として、発光モジュール２０は、青色ＬＥＤチップと黄色蛍光体とによって白色光を放出するＢ−Ｙタイプの白色ＬＥＤ光源である。
【００２０】
発光モジュール２０は、カバー１０の長さ方向（管軸方向、又は、ｘ軸方向）の一方の端部から他方の端部に延在するように１つのみ配置されていてもよいし、カバー１０の長さ方向に沿って複数個配置されていてもよい。いずれの場合も発光モジュール２０は長尺状である。以下、発光モジュール２０の構成要素について図４及び図５を用いて説明する。
【００２１】
図５は、本実施の形態に係る発光モジュール２０の外観を示す斜視図である。
【００２２】
図４及び図５に示されるように、発光モジュール２０は、基板２１、並びに、基板２１の一方の主面である第一主面２１ａに配置された複数の発光素子２２及び一対の接続端子２３を有する。図示しないが、発光モジュール２０は、さらに、基板２１の第一主面２１ａに所定形状でパターン形成された金属配線を有する。
【００２３】
基板２１は、発光素子２２を実装するための長尺状の基板であり、図４に示されるように、第一主面２１ａと第一主面２１ａの裏側の主面である第二主面２１ｂとを有する。本実施の形態では、基板２１として、カバー１０の長さ方向に長尺状の略矩形基板を用いている。基板２１において、発光素子２２が実装される面である素子実装面が第一主面２１ａである。本実施の形態では、第一主面２１ａの裏側の主面である第二主面２１ｂには発光素子２２は実装されていない。なお、後述するように、発光モジュール２０は、基板２１の第二主面２１ｂがシャーシ５０に向くようにシャーシ５０に配置される。
【００２４】
基板２１は、図５に示されるように、長さ方向（ｘ軸方向）の両端のうち、一対の接続端子２３に近い方の端に、切り欠き部２４を有する。本実施の形態では、基板２１は、二つの切り欠き部２４を有する。二つの切り欠き部２４には、それぞれ対応する電力供給線４０が１対１で配置される。また、基板２１は、第一主面２１ａ内の長さ方向に垂直な方向（図５のｙ軸方向）の端部に、切り欠き部２６を有する。当該切り欠き部２６に、基板２１とシャーシ５０とを締結する締結部材が配置される。本実施の形態では、当該締結部材として、ねじ２５が用いられる。
【００２５】
基板２１は、樹脂をベースとする樹脂基板によって構成されている。樹脂基板としては、例えば、ガラス繊維とエポキシ樹脂とからなるガラスエポキシ基板、又は、紙フェノールや紙エポキシからなる基板等を用いることができる。
【００２６】
発光素子２２は、発光モジュール２０の発光部であり、基板２１の第一主面２１ａに配置される。図５に示されるように、本実施の形態において、複数の発光素子２２は、基板２１の長さ方向（ｘ軸方向）に沿って、基板２１の幅方向（ｙ軸方向）の略中央にライン状に一列で実装されているが、発光素子２２のレイアウトは、これに限定されない。例えば、複数の発光素子２２は二列で実装されていてもよい。
【００２７】
本実施の形態に係る各発光素子２２は、ＬＥＤチップと蛍光体とがパッケージ化された、いわゆる表面実装（ＳＭＤ：Ｓｕｒｆａｃｅ  Ｍｏｕｎｔ  Ｄｅｖｉｃｅ）型の発光素子である。本実施の形態に係る各発光素子２２は、白色光を発する白色ＬＥＤ素子である。
【００２８】
なお、図示しないが、発光素子２２は、正極及び負極の２つの電極端子を有しており、これらの電極端子と基板２１の第一主面２１ａ上にパターン形成された金属配線（金属パターン）とが電気的に接続されている。つまり、金属配線は、発光素子２２と電気的に接続されている。
【００２９】
一対の接続端子２３は、発光モジュール２０の外部から発光素子２２を発光させるための電力の供給を受ける端子である。一対の接続端子２３には、それぞれ、発光素子２２に電力を供給する電力供給線４０が接続される。一対の接続端子２３と基板２１の第一主面２１ａに配置された金属配線とは電気的に接続されている。
【００３０】
［１−２．カバー］
カバー１０は、基板２１、発光素子２２、電力供給線４０及び拡散部材３０が収納される透光性の部材である。本実施の形態では、カバー１０には、シャーシ５０も収納される。
【００３１】
カバー１０は、図３に示されるように、メインカバー１１、エンドカバー１２及び１３から構成される。メインカバー１１は、基板２１などを覆う透光性の筒状の部材である。本実施の形態では、メインカバー１１は、略円筒状の形状を有する。メインカバー１１のｘ軸方向の長さは、基板２１のｘ軸方向の長さ以上であり、基板２１が長さ方向（図３及び図４のｘ軸方向）に収納される。エンドカバー１２及び１３は、それぞれ、メインカバー１１の長さ方向の各端部を塞ぐ透光性部材である。本実施の形態では、エンドカバー１２及び１３は、メインカバー１１のｙｚ平面に平行な断面の径と同程度の径を有する略円板状の形状を有する。本実施の形態では、メインカバー１１の長さ方向の各端部は、それぞれ、エンドカバー１２及び１３と、例えば、透光性の接着剤で接着される。これにより、メインカバー１１の各端部から、メインカバー１１の内部に水分などが浸入することを抑制することができる。
【００３２】
カバー１０は、透光性材料を用いて形成することができ、例えば、アクリルやポリカーボネート等の樹脂材料又はガラス材料を用いて形成することができる。
【００３３】
なお、発光素子２２からの光を拡散させるために、カバー１０に光拡散機能を持たせてもよい。例えば、カバー１０の内面又は外面に光拡散シート又は光拡散膜を形成すればよい。具体的には、シリカや炭酸カルシウム等の光拡散材（微粒子）を含有する樹脂又は白色顔料をカバー１０の内面又は外面に付着させることで、乳白色の光拡散膜を形成することができる。
【００３４】
その他に、カバー１０の内部又は外部に設けられたレンズ構造物、あるいは、カバー１０に形成された凹部又は凸部を設けることによって、カバー１０に光拡散機能を持たせることもできる。例えば、カバー１０の内面又は外面にドットパターンを印刷したり、カバー１０の一部を加工したりすることができる。あるいは、カバー１０そのものを、光拡散材が分散された樹脂材料等を用いて成型してもよい。
【００３５】
このように、カバー１０に光拡散機能を持たせることによって、発光素子２２から出射された光を、カバー１０を通過する際に拡散させることができる。特に、本実施の形態のように発光素子２２が離間して配置されている場合、光の粒状感（輝度ばらつき）が発生するが、カバー１０に光拡散機能を持たせることで、粒状感を抑制することができる。
【００３６】
カバー１０は、本体６０に支持される。カバー１０を構成するメインカバー１１には、本体６０側からねじ６１を挿入するための二つの孔が設けられている。
【００３７】
［１−３．シャーシ］
シャーシ５０は、カバー１０内に収納され、基板２１を第二主面２１ｂにおいて支持する長尺状の部材である。図３に示されるように、シャーシ５０は、カバー１０とともに本体６０に固定される。本実施の形態では、シャーシ５０は、二つのねじ６１によって、本体６０に固定される。シャーシ５０は、基板２１に配置された発光素子２２などにおいて発生する熱を、本体６０などに伝導させる放熱部材としても機能する。以下、シャーシ５０の構成について図面を用いて説明する。
【００３８】
図６は、本実施の形態に係るシャーシ５０の外観を示す斜視図である。
【００３９】
図７は、本実施の形態に係るシャーシ５０に発光モジュール２０を固定した状態を示す斜視図である。図７においては、シャーシ５０及び発光モジュール２０の電力供給線４０が設けられる側の端部が示される。
【００４０】
図６に示されるように、シャーシ５０は、シャーシ５０の大部分を占める略矩形平板状の平板部５５と、シャーシ５０を本体６０に固定するための支持部５２とを備える。
【００４１】
平板部５５は、基板２１と同程度の寸法を有する略矩形板状の部材である。平板部５５上には、基板２１が配置され、平板部５５が基板２１の第二主面２１ｂと面接触することにより、基板２１からシャーシ５０に効率よく熱が伝導される。
【００４２】
シャーシ５０の平板部５５には、ねじ穴５１が設けられている。本実施の形態では、シャーシ５０には、複数のねじ穴５１が設けられる。複数のねじ穴５１のそれぞれには、基板２１を固定するためのねじ２５がねじ込まれる。ねじ２５は、図７に示されるように、基板２１の切り欠き部２６を介してシャーシ５０のねじ穴５１にねじ込まれる。以上のように、基板２１とシャーシ５０とがねじ２５によって固定されることによって、基板２１の第二主面２１ｂとシャーシ５０とを密着させることができるため、基板２１からシャーシ５０への熱伝導効率をさらに向上させることができる。
【００４３】
シャーシ５０は、長さ方向（ｘ軸方向）の一方端に、切り欠き部５４を有する。本実施の形態では、シャーシ５０は、二つの切り欠き部５４を有する。二つの切り欠き部５４は、それぞれ、基板２１の二つの切り欠き部２４と対応する位置に設けられる。二つの切り欠き部５４には、図７に示されるように、それぞれ対応する電力供給線４０が１対１で配置される。二本の電力供給線４０は、それぞれ、切り欠き部２４及び５４を介して本体６０に導かれる（図３など参照）。
【００４４】
シャーシ５０の支持部５２は、図６に示されるように、平板部５５から、ｚ軸の負向きに突出した段差状の形状を有する。本実施の形態では、シャーシ５０は、二つの支持部５２を備える。二つの支持部５２には、それぞれ一つのねじ穴５３が形成されている。ねじ穴５３には、本体６０に対して、カバー１０及びシャーシ５０を固定するねじ６１がねじ込まれる。シャーシ５０が二つの支持部５２を備えることにより、基板２１を本体６０及びカバー１０から離間して所望の位置に配置することができる。これにより、基板２１がカバー１０に接触することを抑制することができるため、照明装置１を点灯させる際に、カバー１０に基板２１の影が映ることを抑制することができる。
【００４５】
シャーシ５０は、例えば、アルミニウム等からなる金属製の部材又は樹脂製の樹脂板である。シャーシ５０の熱伝導効率を向上させるために、シャーシ５０は、金属材料又は熱伝導率の高い樹脂材料によって構成されることが好ましい。
【００４６】
［１−４．本体］
本体６０は、カバー１０及びカバー１０内に配置されたシャーシ５０を支持し、かつ、内部に電源を備える機器である。本体６０には、ねじ６１を貫通させるための二つの孔が形成されており、当該二つの孔を貫通させたねじ６１により、カバー１０及びシャーシ５０が固定される。ここで、図３及び図４に示されるように、本体６０とカバー１０との間には、パッキン６３が配置される。パッキン６３は、本体６０とカバー１０との間からカバー１０又は本体６０の内部に水分などが浸入することを抑制する。パッキン６３には、本体６０に形成されたねじ６１を貫通させる二つの孔に対応する位置に、二つの孔が設けられており、当該二つの孔を介して本体６０側からカバー１０側にねじ６１がねじ込まれる。ねじ６１は、上述したように、本体６０、パッキン６３及びカバー１０に形成された孔を介してシャーシ５０のねじ穴５３にねじ込まれる（図３参照）。
【００４７】
本体６０は、電力供給線４０に電力を供給する電源ボックス７０を備える。本実施の形態では、電源ボックス７０は、外部から供給される交流電力を直流電力に変換する電源回路を備える。電源ボックス７０には、電力供給線４０が接続され、電源ボックス７０は、電力供給線４０を介して発光モジュール２０に直流電力を供給する。なお、図３には示されないが、電源ボックス７０の内部には、電源回路を構成する回路部品などが設けられている。
【００４８】
本体６０は、建築物などの造営材、家具などの被取付部材に取り付けるための固定具などを備えてもよい。これにより、照明装置１を所望の位置に取り付けることができる。
【００４９】
本体６０のうち、電源ボックス７０を収納し、カバー１０などを支持する筐体部分の材質は特に限定されないが、例えば、アルミニウム等からなる金属又は熱伝導率の高い樹脂である。これにより、シャーシ５０から伝導される熱を、本体６０が取り付けられる被取付部材などに伝導させることができる。
【００５０】
［１−５．電力供給線］
電力供給線４０は、少なくとも一部が基板２１の第一主面２１ａに配置され、かつ、発光素子２２に電力を供給するリード線である。本実施の形態では、図４及び図７に示されるように、二本の電力供給線４０が、基板２１の長さ方向端部の第一主面２１ａ上に配置され、それぞれ対応する接続端子２３に接続される。本実施の形態では、二本の電力供給線４０の一部は、第一主面２１ａの一対の接続端子２３から切り欠き部２４までの基板２１の端部における経路上に、基板２１の長さ方向（ｘ軸方向）において略平行に発光素子２２の列を挟むように配置される。言い換えれば、二本の電力供給線４０は、基板２１の幅方向（ｙ軸方向）に発光素子２２を挟むように略平行に配置される。すなわち、二本の電力供給線４０の少なくとも一部は、第一主面２１ａ上において、発光素子２２の幅方向に配置される。このため、発光素子２２から出射された光は電力供給線４０に遮られて、カバー１０に、二本の電力供給線４０の影が生じるという不都合が生じてしまう。特にカバー１０が細くなればなるほど、電力供給線４０と発光素子２２とが接近することとなるため、影が一層目立ってしまうという不都合が生じることとなるが、後述の拡散部材３０を用いることで、この不都合の発生を抑制することができる。
【００５１】
二本の電力供給線４０の他の部分（すなわち、第一主面２１ａ上にない部分）は、図３、図４、及び図７に示されるように、切り欠き部２４及び５４、並びに、基板２１の第二主面２１ｂ側（基板２１のｚ軸方向負側）に配置される。基板２１の第二主面２１ｂ側に配置される二本の電力供給線４０は、本体６０内部の電源ボックス７０に接続される。これにより、電力供給線４０は、電源ボックス７０から接続端子２３に直流電力を供給する。なお、上述のように電力供給線４０が、第一主面２１ａ側から、切り欠き部２４及び５４を介して第二主面２１ｂ側に導かれることにより、電力供給線４０とエンドカバー１２とが接近することを抑制できる。したがって、電力供給線４０とエンドカバー１２との間に照射される拡散光が増加するため、エンドカバー１２に電力供給線４０の影が映ることを抑制することができる。
【００５２】
［１−６．拡散部材］
拡散部材３０は、電力供給線４０の少なくとも一部を覆い、かつ、発光素子２２から出射される光を拡散する透光性部材である。本実施の形態では、拡散部材３０は、電力供給線４０の少なくとも一部及び発光素子２２を覆う。以下、拡散部材３０の構成について、図面を用いて説明する。
【００５３】
図８は、本実施の形態に係る拡散部材３０の外観を示す斜視図である。
【００５４】
図９は、本実施の形態に係るシャーシ５０及び発光モジュール２０に拡散部材３０を装着した状態を示す斜視図である。
【００５５】
図８に示されるように、拡散部材３０は、板状の透光性部材が折り曲げられた形状を有する。具体的には、拡散部材３０は、上面部３１と、二つの側面部３２と、二つの底面部３３とを有する。
【００５６】
上面部３１は、基板２１の第一主面２１ａ上に配置された電力供給線４０の少なくとも一部及び発光素子２２を覆う部分である。上面部３１が、電力供給線４０の少なくとも一部を覆うことにより、カバー１０に電力供給線４０の影が映ることを抑制するという効果を奏する。当該効果については後で詳述する。上面部３１のｙ軸方向における長さは、基板２１及びシャーシ５０のｙ軸方向における長さと同程度である。上面部３１のｙ軸方向における長さは、基板２１及びシャーシ５０のｙ軸方向における長さより大きくてもよい。ただし、上面部３１のｙ軸方向の端部がカバー１０に接触する場合には、カバー１０の外面に上面部３１の影が映り得るため、上面部３１のｙ軸方向の長さは、基板２１及びシャーシ５０のｙ軸方向の長さと同程度であることが好ましい。また、上面部３１のｘ軸方向の長さは、特に、限定されないが、基板２１の第一主面２１ａ上に配置された電力供給線４０のほぼ全体を覆うことができる程度の長さ以上であることが好ましい。また、上面部３１のｘ軸方向の長さは、必要以上に長くない方がよい。上面部３１が長過ぎる場合には、電力供給線４０に光を照射しない発光素子２２の出射光も拡散部材３０に入射される場合があり得る。この場合、拡散部材３０によって発光素子２２から出射される光の一部が吸収されることにより、照明装置１の光出射効率が低下する。
【００５７】
上面部３１には切り欠き部３４が形成されている。切り欠き部３４は、基板２１の長さ方向（図８のｘ軸方向）における拡散部材３０の端部のうち、カバー１０に近い側の端部に設けられている。切り欠き部３４は、拡散部材３０のｘ軸方向負側の端部より、ｘ軸方向正側に切り欠かれたような形状を有する。本実施の形態では、切り欠き部３４は、略台形状に切り欠かれたような形状を有する。当該切り欠き部３４の作用については、後で詳述する。
【００５８】
二つの側面部３２は、上面部３１に接続され上面部３１に対してｚ軸方向負側に略垂直に折り曲げられた部分である。側面部３２は、基板２１の側面、及び、シャーシ５０の平板部５５の側面に対応する位置に配置される。側面部３２のｘ軸方向の長さは特に限定されないが、上面部３１のｙ軸方向端部におけるｘ軸方向の長さと同程度としてもよい。これにより、拡散部材３０の上面部３１のｙ軸方向端部全体が、側面部３２に接続されるため、上面部３１のｙ軸方向端部がｚ軸方向に変形することを抑制することができる。したがって、上面部３１が基板２１から離れることにより拡散部材３０の上記効果が低減することを抑制できる。また、側面部３２により、拡散部材３０が基板２１などに対してｙ軸方向に移動することを抑制することができる。側面部３２のｚ軸方向の長さは、基板２１の厚さと、シャーシ５０の平板部５５の厚さとの和と同程度以上であればよい。
【００５９】
二つの底面部３３は、側面部３２に接続され側面部３２に対して、互いに近づく方向に略垂直に折り曲げられた部分である。すなわち、ｙ軸方向正側の側面部３２に接続された底面部３３は、当該側面部３２に対して、ｙ軸方向負側に略垂直に折り曲げられる。一方、ｙ軸方向負側の側面部３２に接続された底面部３３は、当該側面部３２に対して、ｙ軸方向正側に略垂直に折り曲げられる。二つの底面部３３が以上のような構成を有することにより、二つの底面部３３と上面部３１とが、基板２１及びシャーシ５０の平板部５５とを把持することができるため、基板２１などに対して、拡散部材３０がｚ軸方向に移動することを抑制できる。底面部３３のｘ軸方向の長さは特に限定されないが、側面部３２のｘ軸方向の長さと同程度としてもよい。底面部３３のｙ軸方向の長さは特に限定されないが、基板２１又は平板部５５のｙ軸方向の長さの半分以下としてもよい。これにより、二つの底面部３３が互いに干渉して、ｚ軸方向負側に突出することを抑制できる。
【００６０】
拡散部材３０は、透光性材料を用いて形成することができ、例えば、ポリエステル等の樹脂材料を用いて形成することができる。また、拡散部材３０は、基板２１の第一主面２１ａ上の配線などとショートすることを抑制するために、絶縁材料を用いて形成される。また、拡散部材３０は、基板２１及びシャーシ５０への装着を容易にするために、可撓性を有する材料で形成される。拡散部材３０は、光拡散機能材が分散された樹脂材料を用いて成型されてもよいし、拡散部材３０の内面又は外面に光拡散シート又は光拡散膜が形成されてもよい。具体的には、シリカや炭酸カルシウム等の光拡散材（微粒子）が分散された樹脂を用いて拡散部材３０を成型してもよいし、拡散部材３０の内面又は外面に光拡散材を含有する樹脂又は白色顔料を付着させることで、乳白色の光拡散膜を形成してもよい。
【００６１】
その他に、拡散部材３０の内部又は外部に設けられたレンズ構造物、あるいは、拡散部材３０に形成された凹部又は凸部を設けることによって、拡散部材３０に光拡散機能を持たせることもできる。例えば、拡散部材３０の内面又は外面にドットパターンを印刷したり、拡散部材３０の一部を加工したりすることができる。
【００６２】
このように、拡散部材３０に光拡散機能を持たせることによって、発光素子２２から出射された光を、拡散部材３０を通過する際に拡散させることができる。
【００６３】
拡散部材３０は、図９に示されるように、基板２１及びシャーシ５０の長さ方向の端部に装着される。上述したように、拡散部材３０は可撓性を有する。そのため、例えば、拡散部材３０の底面部３３をｚ軸方向負側に曲げて、底面部３３と上面部３１との間隔を拡げた状態で、基板２１及びシャーシ５０のｘ軸方向負側の端部からｘ軸方向正側に拡散部材３０をスライドさせるようにして装着することができる。照明装置１は、拡散部材３０の位置の変動を規制する規制部材を有する。規制部材の構成は特に限定されない。本実施の形態では、図９に示されるように、基板２１の第一主面２１ａ上に突出するねじ２５が規制部材として用いられる。すなわち、拡散部材３０がｘ軸方向正側に移動することをねじ２５の頭部が規制する。これにより、別途規制部材を設けなくてよいため、照明装置１の構成を簡素化することができる。
【００６４】
［２．拡散部材の作用］
続いて、上述した拡散部材３０の作用について図面を用いて詳細に説明する。
【００６５】
図１０は、本実施の形態に係る拡散部材３０の作用を説明するための図である。図１０では、図４に示した断面図を簡略化した図に、発光素子２２からの出射光の光路の概要が実線矢印で示されている。また、図１０には、発光素子２２から出射された光が拡散部材３０に入射することによって発生する拡散光の光路の概要が点線矢印で示されている。
【００６６】
図１０に示されるように、発光素子２２から出射された光の一部は、電力供給線４０によって遮られるため、電力供給線４０の影が拡散部材３０の内面に映る。一方、発光素子２２から出射された光の他の一部は、拡散部材３０に入射され、図１０に点線矢印で示されるように、拡散光を発生させる。当該拡散光は、拡散部材３０への入射光と異なる方向に拡散するため、発光素子２２から見て電力供給線４０の背後側の領域に当該拡散光の一部が照射される。これにより、カバー１０に映る電力供給線４０の影を薄くできる。
【００６７】
以上のように、拡散部材３０によって、電力供給線４０の影がカバー１０に映ることは抑制される。一方、拡散部材３０の影がカバー１０に映ることがあり得る。この現象について、図１１を用いて説明する。
【００６８】
図１１は、本実施の形態に係る照明装置１の断面図である。図１１は、図２に示されるＸＩ−ＸＩ線における照明装置１の断面を示す。
【００６９】
図１１に示されるように、拡散部材３０のエンドカバー１２に近い端部は、エンドカバー１２付近に位置する。特に、本実施の形態のように、拡散部材３０のｘ軸方向負側への移動が規制されない場合には、拡散部材３０のエンドカバー１２に近い端部は、エンドカバー１２に接する場合もあり得る。以上のように、拡散部材３０の端部がエンドカバー１２に接近している場合、拡散部材３０が透光性であっても、その端部の影がエンドカバー１２に映り得る。そこで、本実施の形態では、拡散部材３０のエンドカバー１２に近い端部に切り欠き部３４が形成されている。これにより、拡散部材３０のエンドカバー１２に近い側の端縁の少なくとも一部と、エンドカバー１２との距離を拡げることができる。したがって、拡散部材３０とカバー１０との間に照射される拡散光が増加するため、拡散部材３０の影がエンドカバー１２に映ることを抑制することができる。
【００７０】
［３．効果など］
以上のように、本実施の形態に係る照明装置１は、第一主面２１ａと第一主面２１ａの裏側の主面である第二主面２１ｂとを有する長尺状の基板２１と、第一主面２１ａに配置された発光素子２２と、少なくとも一部が第一主面２１ａに配置され、かつ、発光素子２２に電力を供給する電力供給線４０と、電力供給線４０の少なくとも一部を覆い、かつ、発光素子２２から出射される光を拡散する透光性の拡散部材３０と、基板２１、発光素子２２、電力供給線４０及び拡散部材３０が収納される透光性のカバー１０とを備える。
【００７１】
これにより、発光素子２２から出射された光が拡散部材３０によって拡散され、当該拡散された光が電力供給線４０の影が映る部分に照射されるため、電力供給線４０の影がカバー１０に映ることを抑制することができる。
【００７２】
また、本実施の形態に係る照明装置１において、基板２１の長さ方向における拡散部材３０の端部のうち、カバー１０に近い側の端部に切り欠き部３４が設けられる。
【００７３】
これにより、基板２１の長さ方向における拡散部材３０の端部のうち、カバー１０に近い側の端部と、カバー１０（特に、エンドカバー１２）との距離が拡げられる。したがって、拡散部材３０とカバー１０との間に照射される拡散光が増加するため、照明装置１のカバー１０に拡散部材３０の影が映ることを抑制することができる。
【００７４】
また、本実施の形態に係る照明装置１において、基板２１の長さ方向における拡散部材３０の位置の変動を規制する規制部材をさらに有する。
【００７５】
これにより、拡散部材３０の位置が変動して、電力供給線４０を覆う部分が減少することを抑制できる。
【００７６】
また、本実施の形態に係る照明装置１において、規制部材は、基板２１に設けられたねじ２５である。
【００７７】
これにより、ねじ２５を規制部材として用いることができるため、別途規制部材を設けなくてよい。このため、照明装置１の構成を簡素化することができる。
【００７８】
また、本実施の形態に係る照明装置１において、カバー１０内に収納され、基板２１を第二主面２１ｂにおいて支持する長尺状のシャーシ５０をさらに備える。
【００７９】
これにより、基板２１を所望の位置で支持することができる。また、基板２１からシャーシ５０に熱を伝導させることができる。
【００８０】
また、本実施の形態に係る照明装置１において、シャーシ５０は、長さ方向の端部に切り欠き部５４を有し、電力供給線４０の一部は、切り欠き部５４に配置される。
【００８１】
これにより、電力供給線４０がエンドカバー１２に接近することを抑制できる。したがって、電力供給線４０とエンドカバー１２との間に照射される拡散光が増加するため、エンドカバー１２に電力供給線４０の影が映ることを抑制することができる。
【００８２】
また、本実施の形態に係る照明装置１において、基板２１は、長さ方向の端部に切り欠き部２４を有し、電力供給線４０の一部は、切り欠き部２４に配置される。
【００８３】
これにより、電力供給線４０がエンドカバー１２に接近することを抑制できる。したがって、電力供給線４０とエンドカバー１２との間に照射される拡散光が増加するため、エンドカバー１２に電力供給線４０の影が映ることを抑制することができる。
【００８４】
また、本実施の形態に係る照明装置１において、電力供給線４０は、基板２１の長さ方向の端部に配置されてもよい。
【００８５】
（変形例など）
以上、本発明に係る照明装置１について、実施の形態に基づいて説明したが、本発明は、これらの実施の形態に限定されるものではない。
【００８６】
例えば、上記実施の形態においては、発光素子２２として、ＳＭＤ型のＬＥＤを用いたが、他の発光素子を用いてもよい。例えば、ＣＯＢ（Ｃｈｉｐ  Ｏｎ  Ｂｏａｒｄ）型ＬＥＤを用いてもよい。また、有機ＥＬ素子など他の固体発光素子、又は、固体発光素子以外の他の光源を用いてもよい。
【００８７】
また、上記実施の形態では、複数の発光素子２２を用いる構成を示したが、発光素子は一つでもよい。例えば、発光素子として、一つの長尺状の素子を用いてもよい。
【００８８】
また、上記実施の形態では、拡散部材３０は折り曲げた板状の形状を有するが、拡散部材は、筒状の形状を有してもよい。また、上記実施の形態では、拡散部材３０は、発光モジュールの一部を覆う構成を有するが、発光モジュール全体を覆ってもよい。
【００８９】
また、上記実施の形態では、電力供給線４０は、発光モジュール２０の端部だけに配置されているが、電力供給線４０の配置はこれに限定されない。例えば、照明装置が、カバー内に複数の発光モジュールを有し、長さ方向に隣接する発光モジュール間が電力供給線で接続されていてもよい。この場合、照明装置に、隣接する発光モジュール間を接続する電力供給線を覆う拡散部材を設けてもよい。
【００９０】
また、上記実施の形態では、基板２１には長さ方向の端部に二つの切り欠き部２４が設けられるが、切り欠き部を一つだけ設けて、当該一つの切り欠き部に二本で電力供給線を配置してもよい。シャーシ５０に設けられる切り欠き部５４についても同様である。
【００９１】
また、上記実施の形態では、基板２１及びシャーシ５０の平板部５５の長さ（ｘ軸方向の長さ）が同程度であるため、基板２１及びシャーシ５０の平板部５５の両方の部材に切り欠き部２４及び５４が設けられている。しかしながら、基板２１及び平板部５５の一方が他方より長く、ｘ軸方向負側に突出している場合には、当該突出している方の部材だけに切り欠き部を設けてもよい。
【００９２】
また、上記実施の形態では、拡散部材３０に切り欠き部３４が設けられるが、拡散部材３０がエンドカバー１２から十分離間されている場合など、エンドカバー１２に映る拡散部材３０の影が抑制されている場合には、切り欠き部３４は設けられなくてもよい。
【００９３】
また、上記実施の形態では、拡散部材３０のｘ軸方向への移動を規制する規制部材としてねじ２５が用いられるが、ねじ２５以外に別途規制部材を設けてもよい。また、上記実施の形態では、拡散部材３０のｘ軸方向負側への移動を規制されないが、ｘ軸方向負側への移動を規制する規制部材を設けてもよい。
【００９４】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９５】
１  照明装置
１０  カバー
２１  基板
２１ａ  第一主面
２１ｂ  第二主面
２２  発光素子
２４、３４、５４  切り欠き部
２５、  ねじ
３０  拡散部材
４０  電力供給線
５０  シャーシ
【図１】
0006497654.tif 000002
【図２】
0006497654.tif 000003
【図３】
0006497654.tif 000004
【図４】
0006497654.tif 000005
【図５】
0006497654.tif 000006
【図６】
0006497654.tif 000007
【図７】
0006497654.tif 000008
【図８】
0006497654.tif 000009
【図９】
0006497654.tif 000010
【図１０】
0006497654.tif 000011
【図１１】
0006497654.tif 000012